(57)【要約】サーバに保存させた画像データを通信端末から容易に削除する。  取得した画像データを送信する通信端末と、該通信端末から送信されてきた画像データを保存するサーバとを含み、  通信端末は、取得した画像データをサーバへ送信し、該画像データを認識することができる該画像データのデータ量よりもデータ量が少ない簡易データを表示し、外部から画像データの削除を表示された簡易データを指定することにより受け付けた場合、該簡易データに対応する画像データの削除をサーバへ要求し、  サーバは、通信端末から送信されてきた画像データを当該サーバに設けられたデータベースに保存し、通信端末から画像データの削除を要求された場合、該画像データをデータベースから削除する。
2010113670.tif 000002
【特許請求の範囲】
【請求項１】
取得した画像データを送信する通信端末と、該通信端末から送信されてきた画像データを保存するサーバとを含み、
前記通信端末は、取得した画像データを前記サーバへ送信し、該画像データを認識することができる該画像データのデータ量よりもデータ量が少ない簡易データを表示し、外部から前記画像データの削除を前記表示された簡易データを指定することにより受け付けた場合、該簡易データに対応する画像データの削除を前記サーバへ要求し、
前記サーバは、前記通信端末から送信されてきた画像データを当該サーバに設けられたデータベースに保存し、前記通信端末から前記画像データの削除を要求された場合、該画像データを前記データベースから削除することを特徴とする通信システム。
【請求項２】
請求項１に記載の通信システムにおいて、
前記通信端末は、前記画像データを取得した際に該画像データに基づいて前記簡易データを生成し、前記画像データを前記サーバに送信する際に該画像データとともに前記簡易データを前記サーバへ送信し、前記簡易データを当該通信端末に設けられた記憶手段に記憶し、前記画像データの削除を前記サーバへ要求する際に前記画像データの削除を要求する旨を示す削除要求信号と前記指定された簡易データとを前記サーバへ送信し、
前記サーバは、前記画像データを前記データベースに保存する際に前記通信端末から送信されてきた前記簡易データを前記画像データと対応付けて前記データベースに保存し、前記画像データの削除を要求された際に前記通信端末から送信されてきた前記簡易データと対応付けて保存されている前記画像データを前記データベースから削除することを特徴とする通信システム。
【請求項３】
請求項１に記載の通信システムにおいて、
前記通信端末は、前記画像データを取得した際に該画像データに基づいて前記簡易データを生成し、前記画像データに該画像データを識別するための固有のデータ識別情報を付与し、前記簡易データと前記データ識別情報とを対応付けて当該通信端末に設けられた記憶手段に記憶し、前記画像データを前記サーバに送信する際に該画像データとともに前記データ識別情報を前記サーバへ送信し、前記画像データの削除を前記サーバへ要求する際に前記指定された簡易データに対応する前記データ識別情報と前記画像データの削除を要求する削除要求信号とを前記サーバへ送信し、
前記サーバは、前記画像データを前記データベースに保存する際に前記通信端末から送信されてきた前記データ識別情報を前記画像データと対応付けて前記データベースに保存し、前記画像データの削除を要求された際に前記通信端末から送信されてきた前記データ識別情報と対応付けて保存されている前記画像データを前記データベースから削除することを特徴とする通信システム。
【請求項４】
請求項１に記載の通信システムにおいて、
前記サーバは、前記通信端末から前記画像データが送信されてきた際に該画像データに基づいて前記簡易データを生成し、該画像データを前記データベースに保存する際に該簡易データを該画像データと対応付けて前記データベースに保存し、前記生成した簡易データを前記通信端末へ送信し、前記画像データの削除を要求された際に前記通信端末から送信されてきた前記簡易データと対応付けて保存されている前記画像データを前記データベースから削除し、
前記通信端末は、前記サーバから送信されてきた簡易データを当該通信端末に設けられた記憶手段に記憶し、前記画像データの削除を前記サーバへ要求する際に前記指定された簡易データと前記画像データの削除を要求する削除要求信号とを前記サーバへ送信することを特徴とする通信システム。
【請求項５】
請求項１に記載の通信システムにおいて、
前記サーバは、前記通信端末から前記画像データが送信されてきた際に該画像データに基づいて前記簡易データを生成し、前記画像データに該画像データを識別するための固有のデータ識別情報を付与し、前記画像データを前記データベースに保存する際に前記データ識別情報を前記画像データと対応付けて前記データベースに保存し、前記生成した簡易データと前記データ識別情報とを前記通信端末へ送信し、前記画像データの削除を要求された際に前記通信端末から送信されてきた前記データ識別情報と対応付けて保存されている前記画像データを前記データベースから削除し、
前記通信端末は、前記サーバから送信されてきた簡易データとデータ識別情報とを対応付けて当該通信端末に設けられた記憶手段に記憶し、前記画像データの削除を前記サーバへ要求する際に前記指定された簡易データに対応する前記データ識別情報と前記画像データの削除を要求する削除要求信号とを前記サーバへ送信することを特徴とする通信システム。
【請求項６】
請求項２または請求項４に記載の通信システムにおいて、
前記通信端末は、前記サーバへ前記画像データの削除を要求した後、該削除を要求した画像データに対応する前記簡易データを前記記憶手段から削除することを特徴とする通信システム。
【請求項７】
請求項３または請求項５に記載の通信システムにおいて、
前記通信端末は、前記サーバへ前記画像データの削除を要求した後、該削除を要求した画像データに対応する前記簡易データと前記データ識別情報とを前記記憶手段から削除することを特徴とする通信システム。
【請求項８】
請求項１に記載の通信システムにおいて、
前記通信端末は、前記取得した画像データのデータ量が所定のデータ量を超えた場合、該画像データを前記サーバへ送信することを特徴とする通信システム。
【請求項９】
請求項１に記載の通信システムにおいて、
前記通信端末は、前記取得した画像データのファイル形式が所定のファイル形式である場合、該画像データを前記サーバへ送信することを特徴とする通信システム。
【請求項１０】
請求項１に記載の通信システムにおいて、
前記通信端末は、外部から前記画像データのダウンロードを前記表示された簡易データを指定することにより受け付けた場合、前記サーバへ該簡易データに対応する画像データのダウンロードを要求し、
前記サーバは、前記通信端末から前記画像データのダウンロードを要求された場合、該画像データを前記データベースから読み出し、該読み出した画像データを前記通信端末へ送信することを特徴とする通信システム。
【請求項１１】
請求項１に記載の通信システムにおいて、
前記通信端末は、前記画像データのサムネイル画像を前記簡易データとして表示することを特徴とする通信システム。
【請求項１２】
入力された画像データを認識可能に表示する、該画像データよりもデータ量が少ない簡易データを生成する簡易データ生成手段と、
前記簡易データを記憶する記憶手段と、
前記取得した画像データをサーバへ送信する通信手段と、
前記簡易データを表示する表示手段と、
外部から前記簡易データの指定を受け付ける受け付け手段とを有し、
前記通信手段は、前記指定された簡易データに対応する前記画像データの削除を要求する旨を示す削除要求信号と前記指定された簡易データとを前記サーバへ送信する通信端末。
【請求項１３】
請求項１２に記載の通信端末において、
前記画像データに該画像データを識別するための固有のデータ識別情報を付与する識別情報付与手段をさらに有し、
前記記憶手段は、前記データ識別情報を前記簡易データに対応付けて記憶し、
前記通信手段は、前記取得した画像データとともに該画像データに付与されたデータ識別情報とを前記サーバへ送信し、前記受け付け手段が外部から前記簡易データの指定を受け付けた場合、前記簡易データの代わりに前記簡易データと対応する前記データ識別情報を前記削除要求信号とともに前記サーバへ送信することを特徴とする通信端末。
【請求項１４】
請求項１２に記載の通信端末において、
前記記憶手段は、前記通信手段が前記サーバへ前記簡易データと前記削除要求信号を送信した後、該簡易データを削除することを特徴とする通信端末。
【請求項１５】
請求項１３に記載の通信端末において、
前記記憶手段は、前記通信手段が前記サーバへ前記データ識別情報と前記削除要求信号とを送信した後、該データ識別情報と、該データ識別情報と対応付けられた簡易データとを削除することを特徴とする通信端末。
【請求項１６】
請求項１２に記載の通信端末において、
前記取得した画像データのデータ量が所定のデータ量を超えた場合、前記通信手段は、前記画像データを前記サーバへ送信することを特徴とする通信端末。
【請求項１７】
請求項１３に記載の通信端末において、
前記取得した画像データのデータ量が所定のデータ量を超えた場合、前記通信手段は、前記画像データと前記データ識別情報とを前記サーバへ送信することを特徴とする通信端末。
【請求項１８】
請求項１２に記載の通信端末において、
前記取得した画像データのファイル形式が所定のファイル形式である場合、前記通信手段は、前記画像データを前記サーバへ送信することを特徴とする通信端末。
【請求項１９】
請求項１３に記載の通信端末において、
前記取得した画像データのファイル形式が所定のファイル形式である場合、前記通信手段は、前記画像データと前記データ識別情報とを前記サーバへ送信することを特徴とする通信端末。
【請求項２０】
請求項１２に記載の通信端末において、
前記通信手段は、前記受け付け手段が外部から前記画像データのダウンロードを前記表示手段に表示された前記簡易データを指定することにより受け付けた場合、前記サーバへ該簡易データに対応する画像データのダウンロードを要求するダウンロード要求信号を前記サーバへ送信することを特徴とする通信端末。
【請求項２１】
請求項１２に記載の通信端末において、
前記簡易データ生成手段は、前記画像データのサムネイル画像を前記簡易データとして生成することを特徴とする通信端末。
【請求項２２】
通信端末から送信されてきた画像データを保存するサーバであって、
前記通信端末から送信されてきた画像データに基づいて、該画像データを認識可能に表示される、該画像データのデータ量よりもデータ量が少ない簡易データを生成する簡易データ生成手段と、
前記画像データと前記簡易データとを対応付けて当該サーバが有するデータベースに保存するデータベース管理手段と、
前記簡易データを前記通信端末へ送信する通信手段とを有し、
前記データベース管理手段は、前記通信端末から前記画像データの削除を要求された場合、該画像データを前記データベースから削除するサーバ。
【請求項２３】
請求項２２に記載のサーバにおいて、
前記画像データの削除の要求は、前記画像データの削除を要求する旨を示す削除要求信号と、前記画像データに対応する前記簡易データとが前記通信端末から送信されることによって行われ、
前記データベース管理手段は、前記画像データの削除を要求された際に該簡易データと対応付けて保存されている前記画像データを前記データベースから削除するサーバ。
【請求項２４】
請求項２２に記載のサーバにおいて、
前記画像データに該画像データを識別するための固有のデータ識別情報を付与する識別情報付与手段をさらに有し、
前記データベース管理手段は、前記データ識別情報を前記画像データと対応付けて前記データベースに保存し、
前記通信手段は、前記簡易データとともに前記データ識別情報を前記通信端末へ送信し、
前記画像データの削除の要求は、前記画像データの削除を要求する旨を示す削除要求信号と、前記画像データに対応する前記データ識別情報とが前記通信端末から送信されることによって行われ、
前記データベース管理手段は、前記画像データの削除を要求された際に該データ識別情報と対応付けて保存されている前記画像データを前記データベースから削除するサーバ。
【請求項２５】
取得した画像データを送信する通信端末と、該通信端末から送信されてきた画像データを保存するサーバとを含む通信システムにおけるデータ保存方法であって、
前記通信端末が、取得した画像データを前記サーバへ送信する画像データ送信処理と、
前記サーバが、前記通信端末から送信されてきた画像データを当該サーバに設けられたデータベースに保存する画像データ保存処理と、
前記通信端末が、前記取得した画像データを認識することができる該画像データのデータ量よりもデータ量が少ない簡易データを表示する処理と、
前記通信端末が、外部から前記画像データの削除を前記表示された簡易データを指定することにより受け付けた場合、該簡易データに対応する画像データの削除を前記サーバへ要求する削除要求処理と、
前記サーバが、前記通信端末から前記画像データの削除を要求された場合、該画像データを前記データベースから削除する画像データ削除処理とを有するデータ保存方法。
【請求項２６】
請求項２５に記載のデータ保存方法において、
前記通信端末が、前記取得した画像データに基づいて前記簡易データを生成する処理と、
前記通信端末が、前記簡易データを当該通信端末に設けられた記憶手段に記憶する処理とをさらに有し、
前記画像データ送信処理は、前記画像データと前記簡易データとを前記サーバへ送信するステップを含み、
前記画像データ保存処理は、前記簡易データを前記画像データと対応付けて前記データベースに保存するステップを含み、
前記削除要求処理は、前記画像データの削除を要求する旨を示す削除要求信号と前記指定された簡易データとを前記サーバへ送信するステップを含み、
前記画像データ削除処理は、前記削除要求信号とともに送信されてきた前記簡易データと対応付けて保存されている前記画像データを前記データベースから削除するステップを含むことを特徴とするデータ保存方法。
【請求項２７】
請求項２５に記載のデータ保存方法において、
前記通信端末が、前記取得した画像データに基づいて前記簡易データを生成する処理と、
前記通信端末が、前記画像データに該画像データを識別するための固有のデータ識別情報を付与する処理と、
前記通信端末が、前記簡易データと前記データ識別情報とを対応付けて当該通信端末に設けられた記憶手段に記憶する処理とをさらに有し、
前記画像データ送信処理は、前記画像データと前記データ識別情報とを前記サーバへ送信するステップを含み、
前記画像データ保存処理は、前記データ識別情報を前記画像データと対応付けて前記データベースに保存するステップを含み、
前記削除要求処理は、前記画像データの削除を要求する旨を示す削除要求信号と前記指定された簡易データに対応する前記データ識別情報とを前記サーバへ送信するステップを含み、
前記画像データ削除処理は、前記削除要求信号とともに送信されてきた前記データ識別情報と対応付けて保存されている前記画像データを前記データベースから削除するステップを含むことを特徴とするデータ保存方法。
【請求項２８】
請求項２５に記載のデータ保存方法において、
前記サーバが、前記通信端末から前記画像データが送信されてきた場合、該画像データに基づいて前記簡易データを生成する処理と、
前記サーバが、前記生成した簡易データを前記通信端末へ送信する処理と、
前記通信端末が、前記サーバから送信されてきた簡易データを当該通信端末に設けられた記憶手段に記憶する処理とをさらに有し、
前記画像データ保存処理は、前記簡易データを前記画像データと対応付けて前記データベースに保存するステップを含み、
前記削除要求処理は、前記画像データの削除を要求する旨を示す削除要求信号と前記指定された簡易データとを前記サーバへ送信するステップを含み、
前記画像データ削除処理は、前記削除要求信号とともに送信されてきた前記簡易データと対応付けて保存されている前記画像データを前記データベースから削除するステップを含むことを特徴とするデータ保存方法。
【請求項２９】
請求項２５に記載のデータ保存方法において、
前記サーバが、前記通信端末から前記画像データが送信されてきた場合、該画像データに基づいて前記簡易データを生成する処理と、
前記サーバが、前記画像データに該画像データを識別するための固有のデータ識別情報を付与する処理と、
前記サーバが、前記生成した簡易データと前記データ識別情報とを前記通信端末へ送信する処理と、
前記通信端末が、前記サーバから送信されてきた簡易データとデータ識別情報とを対応付けて当該通信端末に設けられた記憶手段に記憶する処理とをさらに有し、
前記画像データ保存処理は、前記データ識別情報を前記画像データと対応付けて前記データベースに保存するステップを含み、
前記削除要求処理は、前記画像データの削除を要求する旨を示す削除要求信号と前記指定された簡易データに対応する前記データ識別情報とを前記サーバへ送信するステップを含み、
前記画像データ削除処理は、前記削除要求信号とともに送信されてきた前記データ識別情報と対応付けて保存されている前記画像データを前記データベースから削除するステップを含むことを特徴とするデータ保存方法。
【請求項３０】
請求項２６または請求項２８に記載のデータ保存方法において、
前記通信端末が、前記サーバへ前記画像データの削除を要求した後、該削除を要求した画像データに対応する前記簡易データを前記記憶手段から削除する処理をさらに有することを特徴とするデータ保存方法。
【請求項３１】
請求項２７または請求項２９に記載のデータ保存方法において、
前記通信端末が、前記サーバへ前記画像データの削除を要求した後、該削除を要求した画像データに対応する前記簡易データと前記データ識別情報とを前記記憶手段から削除する処理をさらに有することを特徴とするデータ保存方法。
【請求項３２】
請求項２５に記載のデータ保存方法において、
前記通信端末が、前記取得した画像データのデータ量が所定のデータ量を超えた場合、該画像データを前記サーバへ送信する処理をさらに有することを特徴とするデータ保存方法。
【請求項３３】
請求項２５に記載のデータ保存方法において、
前記通信端末が、前記取得した画像データのファイル形式が所定のファイル形式である場合、該画像データを前記サーバへ送信する処理をさらに有することを特徴とするデータ保存方法。
【請求項３４】
請求項２５に記載のデータ保存方法において、
前記通信端末が、外部から前記画像データのダウンロードを前記表示された簡易データを指定することにより受け付けた場合、前記サーバへ該簡易データに対応する画像データのダウンロードを要求する処理と、
前記サーバが、前記通信端末から前記画像データのダウンロードを要求された場合、該画像データを前記データベースから読み出す処理と、
前記サーバが、前記読み出した画像データを前記通信端末へ送信する処理とをさらに有することを特徴とするデータ保存方法。
【請求項３５】
請求項２５に記載のデータ保存方法において、
前記通信端末が、前記画像データのサムネイル画像を前記簡易データとして表示する処理をさらに有することを特徴とするデータ保存方法。
【請求項３６】
通信端末に、
当該通信端末が取得した画像データに基づいて、該画像データを認識可能に表示される、該画像データのデータ量よりもデータ量が少ない簡易データを生成する手順と、
前記簡易データを当該通信端末に設けられた記憶手段に記憶する手順と、
前記取得した画像データを前記サーバへ送信する手順と、
前記簡易データを表示する手順と、
外部から前記画像データの削除を前記表示された前記簡易データを指定することにより受け付ける手順と、
前記外部から前記画像データの削除を前記表示された前記簡易データを指定することにより受け付けた場合、前記画像データの削除を要求する旨を示す削除要求信号と前記指定された簡易データとを前記サーバへ送信する手順とを実行させるためのプログラムを格納したコンピュータ読み取り可能な記録媒体。
【請求項３７】
請求項３６に記載の記録媒体において、
前記画像データに該画像データを識別するための固有のデータ識別情報を付与する手順と、
前記簡易データと前記データ識別情報とを対応付けて前記記憶手段に記憶する手順と、
前記取得した画像データと該画像データに付与されたデータ識別情報とを前記サーバへ送信する手順と、
前記外部から前記画像データの削除を前記表示された前記簡易データを指定することにより受け付けた場合、該指定された簡易データの代わりに該簡易データと前記記憶手段にて対応付けて記憶されているデータ識別情報を前記削除要求信号とともに前記サーバへ送信する手順とを実行させるためのプログラムを格納したコンピュータ読み取り可能な記録媒体。
【請求項３８】
請求項３６に記載の記録媒体において、
前記サーバへ前記簡易データと前記削除要求信号を送信した後、該簡易データを前記記憶手段から削除する手順を実行させるためのプログラムを格納したコンピュータ読み取り可能な記録媒体。
【請求項３９】
請求項３７に記載の記録媒体において、
前記サーバへ前記データ識別情報と前記削除要求信号とを送信した後、該データ識別情報と、該データ識別情報と対応付けられた簡易データとを前記記憶手段から削除する手順を実行させるためのプログラムを格納したコンピュータ読み取り可能な記録媒体。
【請求項４０】
請求項３６に記載の記録媒体において、
前記取得した画像データのデータ量が所定のデータ量を超えた場合、前記画像データを前記サーバへ送信する手順を実行させるためのプログラムを格納したコンピュータ読み取り可能な記録媒体。
【請求項４１】
請求項３７に記載の記録媒体において、
前記取得した画像データのデータ量が所定のデータ量を超えた場合、前記画像データと前記データ識別情報とを前記サーバへ送信する手順を実行させるためのプログラムを格納したコンピュータ読み取り可能な記録媒体。
【請求項４２】
請求項３６に記載の記録媒体において、
前記取得した画像データのファイル形式が所定のファイル形式である場合、前記画像データを前記サーバへ送信する手順を実行させるためのプログラムを格納したコンピュータ読み取り可能な記録媒体。
【請求項４３】
請求項３７に記載の記録媒体において、
前記取得した画像データのファイル形式が所定のファイル形式である場合、前記画像データと前記データ識別情報とを前記サーバへ送信する手順を実行させるためのプログラムを格納したコンピュータ読み取り可能な記録媒体。
【請求項４４】
請求項３６に記載の記録媒体において、
前記外部から前記画像データのダウンロードを前記表示された前記簡易データを指定することにより受け付けた場合、前記サーバへ該簡易データに対応する画像データのダウンロードを要求するダウンロード要求信号を前記サーバへ送信する手順を実行させるためのプログラムを格納したコンピュータ読み取り可能な記録媒体。
【請求項４５】
請求項３６に記載の記録媒体において、
前記画像データのサムネイル画像を前記簡易データとして生成する手順を実行させるためのプログラムを格納したコンピュータ読み取り可能な記録媒体。
【請求項４６】
サーバに、
通信端末から送信されてきた画像データに基づいて、該画像データを認識可能に表示される、該画像データのデータ量よりもデータ量が少ない簡易データを生成する手順と、
前記画像データと前記簡易データとを対応付けて当該サーバが有するデータベースに保存する画像データ保存手順と、
前記簡易データを前記通信端末へ送信する簡易データ送信手順と、
前記通信端末から前記画像データの削除を要求された場合、該画像データを前記データベースから削除する画像データ削除手順とを実行させるためのプログラムを格納したコンピュータ読み取り可能な記録媒体。
【請求項４７】
請求項４６に記載の記録媒体において、
前記画像データ削除手順は、前記通信端末から送信されてきた前記簡易データと対応付けて保存されている前記画像データを前記データベースから削除するステップを含むプログラムを格納したコンピュータ読み取り可能な記録媒体。
【請求項４８】
請求項４６に記載の記録媒体において、
前記画像データに該画像データを識別するための固有のデータ識別情報を付与する手順をさらに実行させ、
前記画像データ保存手順は、前記データ識別情報を前記画像データと対応付けて前記データベースに保存するステップを含み、
前記簡易データ送信手順は、前記簡易データとともに前記データ識別情報を前記通信端末へ送信するステップを含み、
前記画像データ削除手順は、前記通信端末から送信されてきた前記データ識別情報と対応付けて保存されている前記画像データを前記データベースから削除するステップを含むプログラムを格納したコンピュータ読み取り可能な記録媒体。
【発明の詳細な説明】
【技術分野】
【０００１】
本発明は、データを保存する通信システム、通信端末、サーバ、データ保存方法および記録媒体に関する。
【背景技術】
【０００２】
近年、通信端末にて画像データ等のデータ量の大きなデータを取得できるようになってきている。この画像データは、当該通信端末がネットワーク上からダウンロードしたものや、当該通信端末（例えば、携帯端末）に設けられた撮影機能を用いて撮影されたもの等である。この取得された画像データは、当該通信端末内に保存される。
一方、携帯端末等の通信端末においては、その小型化が図られており、データを保存するメモリ容量には限度がある。
そのため、取得された画像データを当該通信端末に数限りなく保存することは困難である。
そこで、通信端末にて取得された画像データを、保存用のサーバへ送信し、当該サーバにおいて保存しておくシステムが考えられている（例えば、特許文献１参照。）。
特許文献１に記載されたシステムおいては、携帯端末が取得した画像データをサーバへ送信し、当該サーバが携帯端末から送信されてきた画像データを保存する。また、携帯端末は、サーバへ送信した画像データに対応する低解像度のデータ（サムネイル画像）を記憶する。
【特許文献１】特開２００５−１０９６８４号公報
【特許文献２】特開２００２−３４２２０５号公報
【特許文献３】特開２００４−１６６００１号公報
【特許文献４】特開２００４−１７８０１８号公報
【発明の概要】
【発明が解決しようとする課題】
【０００３】
しかしながら、特許文献１に記載されたシステムにおいては、サーバに保存された画像データを携帯端末から削除するには、当該画像データをサーバから携帯端末にダウンロードしなければならないという問題点がある。
本発明の目的は、上述した課題を解決する通信システム、通信端末、サーバ、データ保存方法および記録媒体を提供することである。
【課題を解決するための手段】
【０００４】
本発明の通信システムは、
取得した画像データを送信する通信端末と、該通信端末から送信されてきた画像データを保存するサーバとを含み、
通信端末は、取得した画像データをサーバへ送信し、該画像データを認識することができる該画像データのデータ量よりもデータ量が少ない簡易データを表示し、外部から画像データの削除を表示された簡易データを指定することにより受け付けた場合、該簡易データに対応する画像データの削除をサーバへ要求し、
サーバは、通信端末から送信されてきた画像データを当該サーバに設けられたデータベースに保存し、通信端末から画像データの削除を要求された場合、該画像データをデータベースから削除することを特徴とする。
また、本発明の通信端末は、
入力された画像データを認識可能に表示する、該画像データよりもデータ量が少ない簡易データを生成する簡易データ生成手段と、
簡易データを記憶する記憶手段と、
取得した画像データをサーバへ送信する通信手段と、
簡易データを表示する表示手段と、
外部から簡易データの指定を受け付ける受け付け手段とを有し、
通信手段は、指定された簡易データに対応する画像データの削除を要求する旨を示す削除要求信号と指定された簡易データとをサーバへ送信する。
また、本発明のサーバは、
通信端末から送信されてきた画像データを保存するサーバであって、
通信端末から送信されてきた画像データに基づいて、該画像データを認識可能に表示される、該画像データのデータ量よりもデータ量が少ない簡易データを生成する簡易データ生成手段と、
画像データと簡易データとを対応付けて当該サーバが有するデータベースに保存するデータベース管理手段と、
簡易データを通信端末へ送信する通信手段とを有し、
データベース管理手段は、通信端末から画像データの削除を要求された場合、該画像データをデータベースから削除する。
また、本発明のデータ保存方法は、
取得した画像データを送信する通信端末と、該通信端末から送信されてきた画像データを保存するサーバとを含む通信システムにおけるデータ保存方法であって、
通信端末が、取得した画像データをサーバへ送信する画像データ送信処理と、
サーバが、通信端末から送信されてきた画像データを当該サーバに設けられたデータベースに保存する画像データ保存処理と、
通信端末が、取得した画像データを認識することができる該画像データのデータ量よりもデータ量が少ない簡易データを表示する処理と、
通信端末が、外部から画像データの削除を表示された簡易データを指定することにより受け付けた場合、該簡易データに対応する画像データの削除をサーバへ要求する削除要求処理と、
サーバが、通信端末から画像データの削除を要求された場合、該画像データをデータベースから削除する画像データ削除処理とを有する。
また、本発明の第１の記録媒体は、
通信端末に、
当該通信端末が取得した画像データに基づいて、該画像データを認識可能に表示される、該画像データのデータ量よりもデータ量が少ない簡易データを生成する手順と、
簡易データを当該通信端末に設けられた記憶手段に記憶する手順と、
取得した画像データをサーバへ送信する手順と、
簡易データを表示する手順と、
外部から画像データの削除を表示された簡易データを指定することにより受け付ける手順と、
外部から画像データの削除を表示された簡易データを指定することにより受け付けた場合、画像データの削除を要求する旨を示す削除要求信号と指定された簡易データとをサーバへ送信する手順とを実行させるプログラムを格納する。
また、本発明の第２の記録媒体は、
サーバに、
通信端末から送信されてきた画像データに基づいて、該画像データを認識可能に表示される、該画像データのデータ量よりもデータ量が少ない簡易データを生成する手順と、
画像データと簡易データとを対応付けて当該サーバが有するデータベースに保存する画像データ保存手順と、
簡易データを通信端末へ送信する簡易データ送信手順と、
通信端末から画像データの削除を要求された場合、該画像データをデータベースから削除する画像データ削除手順とを実行させるプログラムを格納する。
【発明の効果】
【０００５】
以上説明したように本発明においては、サーバに保存された画像データを利用者が通信端末から容易に削除することができる。
【図面の簡単な説明】
【０００６】
【図１】本発明の通信システムの実施の一形態を示す図である。
【図２】図１に示した通信端末の内部構成の第１の構成例を示す図である。
【図３】図２に示した記憶部に記憶された簡易データの一例を示す図である。
【図４】図１に示したサーバの内部構成の第１の構成例を示す図である。
【図５】図４に示したデータベースに保存された画像データと簡易データとの対応付けの一例を示す図である。
【図６】第１の実施の形態におけるデータ保存方法のうち、通信端末がサーバに画像データを保存させる処理を説明するためのシーケンス図である。
【図７】第１の実施の形態におけるデータ保存方法のうち、サーバが保存している画像データを削除する処理を説明するためのシーケンス図である。
【図８】第１の実施の形態におけるデータ保存方法のうち、サーバが保存している画像データを通信端末がダウンロードする処理を説明するためのシーケンス図である。
【図９】図１に示した通信端末の内部構成の第２の構成例を示す図である。
【図１０】図９に示した記憶部に記憶されたデータ識別情報と簡易データとの対応付けの一例を示す図である。
【図１１】図１に示したサーバの内部構成の第２の構成例を示す図である。
【図１２】図１１に示したデータベースに保存された画像データとデータ識別情報との対応付けの一例を示す図である。
【図１３】第２の実施の形態におけるデータ保存方法のうち、通信端末がサーバに画像データを保存させる処理を説明するためのシーケンス図である。
【図１４】第２の実施の形態におけるデータ保存方法のうち、サーバが保存している画像データを削除する処理を説明するためのシーケンス図である。
【図１５】第２の実施の形態におけるデータ保存方法のうち、サーバが保存している画像データを通信端末がダウンロードする処理を説明するためのシーケンス図である。
【図１６】図１に示した通信端末の内部構成の第３の構成例を示す図である。
【図１７】図１に示したサーバの内部構成の第３の構成例を示す図である。
【図１８】第３の実施の形態におけるデータ保存方法のうち、通信端末がサーバに画像データを保存させる処理を説明するためのシーケンス図である。
【図１９】図１に示した通信端末の内部構成の第４の構成例を示す図である。
【図２０】図１に示したサーバの内部構成の第４の構成例を示す図である。
【図２１】第４の実施の形態におけるデータ保存方法のうち、通信端末がサーバに画像データを保存させる処理を説明するためのシーケンス図である。
【図２２】簡易データが表示された表示部の表示画面の一例を示す図である。
【図２３】複数の通信端末がサーバと接続された形態を示す図である。
【図２４】図２３に示した画像データを保存させた通信端末以外の通信端末によってサーバに保存されている画像データのダウンロードが行われた場合の処理を説明するためのシーケンス図である。
【図２５】本発明の通信システムの実施の他の一形態を示す図である。
【発明を実施するための形態】
【０００７】
以下に、本発明の実施の形態について図面を参照して説明する。
図１は、本発明の通信システムの実施の一形態を示す図である。
本形態は図１に示すように、通信端末１００と、サーバ２００とが、ネットワーク３００を介して接続された構成となっている。
通信端末１００は、通信機能を有する情報処理装置である。通信端末１００は、例えば、携帯端末であっても良いし、一般的なＰＣ（Ｐｅｒｓｏｎａｌ  Ｃｏｍｐｕｔｅｒ）であっても良い。通信端末１００が有する通信機能は、通常のＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）等のセルラーフォンに使われる通信機能であってもよい。また、Ｗｉ−Ｆｉ（登録商標）等のＷ−ＬＡＮ（Ｗｉｒｅｌｅｓｓ−Ｌｏｃａｌ  Ａｒｅａ  Ｎｅｔｗｏｒｋ）通信、赤外線通信、Ｂｌｕｅｔｏｏｔｈ（登録商標）通信等の近距離通信機能であっても良い。通信端末１００は、Ｗ−ＬＡＮ等の比較的安価に大容量通信可能な通信機能を持つことが好ましい。また、通信端末１００は、画像データを取得する機能を有する。この画像データの取得機能は、カメラを用いた撮影によって画像データを取得するものであっても良いし、通信機能を用いてネットワークや他の通信端末から画像データを取得するものであっても良く、特に限定しない。また、通信端末１００は、取得した画像データをサーバ２００へ保存させるために送信する。また、通信端末１００は、サーバ２００に保存させた画像データの削除をサーバ２００へ要求する。また、通信端末１００は、サーバ２００へ保存させた画像データのダウンロードをサーバ２００へ要求する。この通信端末１００とサーバ２００との間のデータのやり取りは、通信端末１００が有するソフトウェア（例えば、Ｊａｖａアプリケーション、Ｎａｔｉｖｅアプリケーションやブラウザ等）を利用して行うものであっても良く、ここでは特に規定しない。
また、通信端末１００には記憶部１０１が設けられている。
記憶部１０１は、情報を記憶する。
サーバ２００は、通信端末１００からネットワーク３００を介して送信されてきた画像データを保存する。また、サーバ２００は、通信端末１００からの画像データの削除の要求に応じて、保存している画像データを削除する。また、サーバ２００は、通信端末１００からの画像データのダウンロードの要求に応じて、保存している画像データを通信端末１００へ送信する。なお、サーバ２００が保存するデータは、静止画または動画の画像データに限らず、それ以外のマルチメディアデータ等であっても良い。
また、サーバ２００には、データベース２０１が設けられている。
データベース２０１は、通信端末１００から送信されてきた画像データを保存する。
以下、図１に示した通信端末１００とサーバ２００とを用いて本発明を実現する４つの形態について説明する。
（第１の実施の形態）
図２は、図１に示した通信端末１００の内部構成の第１の構成例を示す図である。
第１の実施の形態においては、図１に示した通信端末１００には図２に示すように、記憶部１０１と、簡易データ生成部１０２と、表示部１０３と、通信部１０５と、受け付け部１０６とが設けられている。なお、図２には、図１に示した通信端末１００を構成する構成要素のうち、本実施の形態の説明に係わる要素のみを示した。
簡易データ生成部１０２は、通信端末１００が取得した画像データに基づいて、当該画像データに対応する簡易データを生成する。この簡易データとは、当該画像データのデータよりも小さなデータ量のデータ（表示される画像の大きさが小さなものや、解像度が低いもの等）である。また、簡易データは、当該簡易データが表示部１０３に表示された際に、通信端末１００を利用する利用者が画像データを認識できるサムネイル画像等のデータである。この簡易データは、一般的な方法を用いて生成されるものであれば良い。例えば、複数の画像データを保存している装置が、その保存している画像データのインデックスとして画像データの縮小版を一覧に並べるための生成方法を用いるものであっても良い。
表示部１０３は、記憶部１０１に記憶されている簡易データを表示する。このとき、表示部１０３は、簡易データの一覧を表示するものであっても良い。なお、表示部１０３は、情報を表示できるものであれば良く、一般的なディスプレイであっても良い。また、表示部１０３が簡易データを表示するタイミングは、通信端末１００を利用する利用者からの表示要求を受け付けたタイミングが好ましい。
受け付け部１０６は、表示部１０３に表示された簡易データを外部から指定することにより画像データの削除の要求を受け付ける。また、受け付け部１０６は、画像データの削除を受け付けた際に指定された簡易データと画像データの削除が要求された旨とを通信部１０５へ出力する。また、受け付け部１０６は、表示部１０３に表示された簡易データを外部から指定することにより画像データのダウンロードの要求を受け付ける。また、受け付け部１０６は、画像データのダウンロードを受け付けた際に指定された簡易データと画像データのダウンロードが要求された旨とを通信部１０５へ出力する。
記憶部１０１は、簡易データ生成部１０２が生成した簡易データを記憶する。
図３は、図２に示した記憶部１０１に記憶された簡易データの一例を示す図である。
図２に示した記憶部１０１には図３に示すように、簡易データが記憶されている。この簡易データは、通信端末１００が取得した画像データに基づいて簡易データ生成部１０２が生成したものである。
通信部１０５は、通信端末１００が取得した画像データと当該画像データに基づいて簡易データ生成部１０２が生成して記憶部１０１が記憶している簡易データとをネットワーク３００を介してサーバ２００へ送信する。また、通信部１０５は、受け付け部１０６から簡易データと画像データの削除が要求された旨とが出力されてきた場合、出力されてきた簡易データと画像データの削除を要求する削除要求信号とをネットワーク３００を介してサーバ２００へ送信する。また、通信部１０５は、受け付け部１０６から簡易データと画像データのダウンロードが要求された旨とが出力されてきた場合、出力されてきた簡易データと画像データのダウンロードを要求するダウンロード要求信号とをネットワーク３００を介してサーバ２００へ送信する。なお、これらをサーバ２００へ送信する際、送信先としてサーバ２００を指定する必要がある。サーバ２００を指定するには、サーバ２００のＩＰ（Ｉｎｔｅｒｎｅｔ  Ｐｒｏｔｏｃｏｌ）アドレスやサーバ２００のＵＲＬ（Ｕｎｉｆｏｒｍ  Ｒｅｓｏｒｃｅ  Ｌｏｃａｔｏｒ）を指定する。これらは、記憶部１０１に記憶されているものであっても良く、通信端末１００があらかじめ認識しているものである。
図４は、図１に示したサーバ２００の内部構成の第１の構成例を示す図である。
第１の実施の形態においては、図１に示したサーバ２００には図４に示すように、データベース２０１と、データベース管理部２０２と、通信部２０３とが設けられている。なお、図４には、図１に示したサーバ２００を構成する構成要素のうち、本実施の形態の説明に係わる要素のみを示した。
通信部２０３は、ネットワーク３００を介して通信端末１００と通信を行うインタフェースを持つ。
データベース管理部２０２は、通信端末１００から送信されてきた画像データと簡易データとを対応付けてデータベース２０１に保存させる。また、データベース管理部２０２は、通信端末１００から削除要求信号と簡易データとが送信されてきた場合、当該簡易データに対応する画像データをデータベース２０１から削除する。また、データベース管理部２０２は、通信端末１００からダウンロード要求信号と簡易データとが送信されてきた場合、当該簡易データと対応付けてデータベース２０１に保存されている画像データをデータベース２０１から読み出して通信部２０３を介して通信端末１００へ送信する。
データベース２０１は、通信端末１００から送信されてきた画像データと簡易データとを対応付けて保存する。
図５は、図４に示したデータベース２０１に保存された画像データと簡易データとの対応付けの一例を示す図である。
図４に示したデータベース２０１には図５に示すように、簡易データと画像データとが対応付けられて記憶されている。これらは、通信端末１００からネットワーク３００を介して送信されてきたものである。
以下に、第１の実施の形態におけるデータ保存方法について説明する。まずは、第１の実施の形態におけるデータ保存方法のうち、通信端末１００がサーバ２００に画像データを保存させる処理について説明する。
図６は、第１の実施の形態におけるデータ保存方法のうち、通信端末１００がサーバ２００に画像データを保存させる処理を説明するためのシーケンス図である。
まず、通信端末１００にて画像データが取得される（ステップＳ１）。この取得方法については、上述したようにどのような方法を用いても良く、ここでは特に規定しない。
すると、取得された画像データに基づいて、簡易データ生成部１０２にて当該画像データに対応する簡易データが生成される（ステップＳ２）。
続いて、簡易データ生成部１０２にて生成された簡易データが記憶部１０１に記憶される（ステップＳ３）。
すると、画像データと記憶部１０１に記憶された簡易データとが通信部１０５からネットワーク３００を介してサーバ２００へ送信される（ステップＳ４）。
なお、この送信タイミングは、当該簡易データが記憶部１０１に記憶された後であれば良く、通信端末１００を利用する利用者からの送信の指示を受け付けたタイミングや、一日のうちあらかじめ設定された時刻等の任意のタイミングで良い。また、取得した画像データのデータ量があらかじめ設定されたデータ量、または通信端末１００に記憶できるデータ量を超えたタイミングであっても良い。また、取得した画像データのファイル形式があらかじめ設定されたファイル形式かどうかを判断し、取得した画像データのファイル形式があらかじめ設定されたファイル形式であると判断された場合、その判断されたタイミングであっても良い。
通信端末１００から送信された画像データおよび簡易データがサーバ２００の通信部２０３にて受信されると、受信された画像データと簡易データとがデータベース管理部２０２によって対応付けられてデータベース２０１に保存される（ステップＳ５）。
次に、第１の実施の形態におけるデータ保存方法のうち、サーバ２００が保存している画像データを削除する処理について説明する。
図７は、第１の実施の形態におけるデータ保存方法のうち、サーバ２００が保存している画像データを削除する処理を説明するためのシーケンス図である。
まず、記憶部１０１に記憶されている簡易データが表示部１０３に表示される（ステップＳ１１）。この表示部１０３に簡易データが表示されるタイミングについては、上述したようにここでは特に規定しない。
その後、通信端末１００を利用する利用者によって、表示部１０３に表示されている簡易データを外部から指定することにより、画像データの削除の要求が受け付け部１０６にて受け付けられる（ステップＳ１２）。そして、指定された簡易データと画像データの削除が要求された旨とが受け付け部１０６から通信部１０５へ出力される。
すると、通信部１０５によって、出力されてきた簡易データと画像データの削除を要求する削除要求信号とが通信部１０５からネットワーク３００を介してサーバ２００へ送信される（ステップＳ１３）。
通信端末１００から送信された簡易データおよび削除要求信号が通信部２０３にて受信されると、受信された簡易データに対応する画像データがデータベース管理部２０２によってデータベース２０１から削除される（ステップＳ１４）。この時、削除された画像データに対応する簡易データが同時に削除されてもよい。
次に、第１の実施の形態におけるデータ保存方法のうち、サーバ２００が保存している画像データを通信端末１００がダウンロードする処理について説明する。
図８は、第１の実施の形態におけるデータ保存方法のうち、サーバ２００が保存している画像データを通信端末１００がダウンロードする処理を説明するためのシーケンス図である。
まず、記憶部１０１に記憶されている簡易データが表示部１０３に表示される（ステップＳ２１）。この表示タイミングについても、特に規定しない。
その後、通信端末１００を利用する利用者によって、表示部１０３に表示されている簡易データを外部から指定することにより、画像データのダウンロードの要求が受け付け部１０６にて受け付けられる（ステップＳ２２）。そして、指定された簡易データと画像データのダウンロードが要求された旨とが受け付け部１０６から通信部１０５へ出力される。
すると、通信部１０５によって、出力されてきた簡易データと画像データのダウンロードを要求するダウンロード要求信号とが通信部１０５からネットワーク３００を介してサーバ２００へ送信される（ステップＳ２３）。
通信端末１００から送信された簡易データおよびダウンロード要求信号が通信部２０３にて受信されると、受信された簡易データと対応付けられている画像データがデータベース管理部２０２によってデータベース２０１から読み出される（ステップＳ２４）。
そして、読み出された画像データが通信部２０３からネットワーク３００を介して通信端末１００へ送信される（ステップＳ２５）。
このように、第１の実施形態の通信システムは、サーバに保存された画像データを、当該画像データをサーバから通信端末にダウンロードすることなしに、通信端末から削除することができる。なぜならば、通信端末が簡易データを表示し、この簡易データが指定されることにより画像データの削除を受け付けた場合、指定された簡易データに対応する画像データの削除を通信端末がサーバへ要求するからである。
（第２の実施の形態）
図９は、図１に示した通信端末１００の内部構成の第２の構成例を示す図である。
第２の実施の形態においては、図１に示した通信端末１００には図９に示すように、記憶部１０１と、簡易データ生成部１０２と、表示部１０３と、識別情報付与部１０４と、通信部１０５と、受け付け部１０６とが設けられている。図９に示した構成は、図２に示した構成要素に、識別情報付与部１０４が追加された構成となっている。なお、図９には、図１に示した通信端末１００を構成する構成要素のうち、本実施の形態の説明に係わる要素のみを示した。
簡易データ生成部１０２は、図２に示したものと同じものである。
表示部１０３は、図２に示したものと同じものである。
識別情報付与部１０４は、通信端末１００が取得した画像データを識別するために、当該画像データ固有のデータ識別情報をその画像データに付与する。
受け付け部１０６は、図２に示したものと同じものである。
記憶部１０１は、簡易データ生成部１０２が生成した簡易データと、その簡易データの基となる画像データに識別情報付与部１０４にて付与されたデータ識別情報とを対応付けて記憶する。
図１０は、図９に示した記憶部１０１に記憶されたデータ識別情報と簡易データとの対応付けの一例を示す図である。
図９に示した記憶部１０１には図１０に示すように、データ識別情報と簡易データとが対応付けられて記憶されている。データ識別情報は、識別情報付与部１０４にて画像データに付与されたものであり、画像データをそれぞれ識別できる情報であれば良い。また、簡易データは、対応付けられたデータ識別情報が付与された画像データに基づいて簡易データ生成部１０２が生成したものである。
通信部１０５は、通信端末１００が取得した画像データと識別情報付与部１０４が当該画像データに付与したデータ識別情報とをネットワーク３００を介してサーバ２００へ送信する。また、通信部１０５は、受け付け部１０６から簡易データと画像データの削除が要求された旨とが出力されてきた場合、記憶部１０１から当該簡易データと対応付けられているデータ識別情報を読み出す。そして、通信部１０５は、読み出したデータ識別情報と画像データの削除を要求する削除要求信号とをネットワーク３００を介してサーバ２００へ送信する。また、通信部１０５は、受け付け部１０６から簡易データと画像データのダウンロードが要求された旨とが出力されてきた場合、記憶部１０１から当該簡易データと対応付けられているデータ識別情報を読み出す。そして、通信部１０５は、読み出したデータ識別情報と画像データのダウンロードを要求するダウンロード要求信号とをネットワーク３００を介してサーバ２００へ送信する。送信先の指定については、第１の実施の形態と同じである。
図１１は、図１に示したサーバ２００の内部構成の第２の構成例を示す図である。
第２の実施の形態においては、図１に示したサーバ２００には図１１に示すように、データベース２０１と、データベース管理部２０２と、通信部２０３とが設けられている。なお、図１１には、図１に示したサーバ２００を構成する構成要素のうち、本実施の形態の説明に係わる要素のみを示した。
通信部２０３は、図４に示したものと同じものである。
データベース管理部２０２は、通信端末１００から送信されてきた画像データとデータ識別情報とを対応付けてデータベース２０１に保存させる。また、データベース管理部２０２は、通信端末１００から削除要求信号とデータ識別情報とが送信されてきた場合、当該データ識別情報に対応する画像データをデータベース２０１から削除する。また、データベース管理部２０２は、通信端末１００からダウンロード要求信号とデータ識別情報とが送信されてきた場合、当該データ識別情報と対応付けてデータベース２０１に保存されている画像データをデータベース２０１から読み出す。そして、データベース管理部２０２は、読み出された画像データを通信部２０３を介して通信端末１００へ送信する。
データベース２０１は、通信端末１００から送信されてきた画像データとデータ識別情報とを対応付けて保存する。
図１２は、図１１に示したデータベース２０１に保存された画像データとデータ識別情報との対応付けの一例を示す図である。
図１１に示したデータベース２０１には図１２に示すように、データ識別情報と画像データとが対応付けられて記憶されている。これらは、通信端末１００からネットワーク３００を介して送信されてきたものである。
以下に、第２の実施の形態におけるデータ保存方法について説明する。まずは、第２の実施の形態におけるデータ保存方法のうち、通信端末１００がサーバ２００に画像データを保存させる処理について説明する。
図１３は、第２の実施の形態におけるデータ保存方法のうち、通信端末１００がサーバ２００に画像データを保存させる処理を説明するためのシーケンス図である。
まず、通信端末１００にて画像データが取得される（ステップＳ３１）。この取得方法については、上述したようにどのような方法を用いても良く、ここでは特に規定しない。
すると、取得された画像データに基づいて、簡易データ生成部１０２にて当該画像データに対応する簡易データが生成される（ステップＳ３２）。
また、取得された画像データを識別できる固有のデータ識別情報が識別情報付与部１０４によって、当該画像データに付与される（ステップＳ３３）。
続いて、簡易データ生成部１０２にて生成された簡易データと、識別情報付与部１０４にて付与されたデータ識別情報とが対応付けられて記憶部１０１に記憶される（ステップＳ３４）。
すると、識別情報付与部１０４にてデータ識別情報が付与された画像データが、通信部１０５からネットワーク３００を介してサーバ２００へ送信される（ステップＳ３５）。
なお、この送信タイミングは、識別情報付与部１０４が当該画像データにデータ識別情報を付与した後であれば良く、通信端末１００を利用する利用者からの送信の指示を受け付けたタイミングや、一日のうちあらかじめ設定された時刻等の任意のタイミングで良い。また、取得した画像データのデータ量があらかじめ設定されたまたは通信端末１００に記憶できるデータ量を超えたタイミングであっても良い。また、取得した画像データのファイル形式があらかじめ設定されたファイル形式かどうかを判断し、取得した画像データのファイル形式があらかじめ設定されたファイル形式であると判断された場合、その判断されたタイミングであっても良い。
通信端末１００から送信された画像データおよびデータ識別情報がサーバ２００の通信部２０３にて受信されると、受信された画像データとデータ識別情報とがデータベース管理部２０２によって対応付けられてデータベース２０１に保存される（ステップＳ３６）。
次に、第２の実施の形態におけるデータ保存方法のうち、サーバ２００が保存している画像データを削除する処理について説明する。
図１４は、第２の実施の形態におけるデータ保存方法のうち、サーバ２００が保存している画像データを削除する処理を説明するためのシーケンス図である。
まず、記憶部１０１に記憶されている簡易データが表示部１０３に表示される（ステップＳ４１）。この表示部１０３に簡易データが表示されるタイミングについては、上述したようにここでは特に規定しない。
その後、通信端末１００を利用する利用者によって、表示部１０３に表示されている簡易データを外部から指定することにより、画像データの削除の要求が受け付け部１０６にて受け付けられる（ステップＳ４２）。そして、指定された簡易データと画像データの削除が要求された旨とが受け付け部１０６から通信部１０５へ出力される。
すると、通信部１０５によって、出力されてきた簡易データと対応付けられているデータ識別情報が記憶部１０１から読み出される（ステップＳ４３）。そして、読み出されたデータ識別情報と画像データの削除を要求する削除要求信号とが通信部１０５からネットワーク３００を介してサーバ２００へ送信される（ステップＳ４４）。
通信端末１００から送信されたデータ識別情報および削除要求信号が通信部２０３にて受信されると、受信されたデータ識別情報に対応する画像データがデータベース管理部２０２によってデータベース２０１から削除される（ステップＳ４５）。この時、削除された画像データに対応するデータ識別情報が同時に削除されてもよい。
次に、第２の実施の形態におけるデータ保存方法のうち、サーバ２００が保存している画像データを通信端末１００がダウンロードする処理について説明する。
図１５は、第２の実施の形態におけるデータ保存方法のうち、サーバ２００が保存している画像データを通信端末１００がダウンロードする処理を説明するためのシーケンス図である。
まず、記憶部１０１に記憶されている簡易データが表示部１０３に表示される（ステップＳ５１）。
その後、通信端末１００を利用する利用者によって、表示部１０３に表示されている簡易データを外部から指定することにより、画像データのダウンロードの要求が受け付け部１０６にて受け付けられる（ステップＳ５２）。そして、指定された簡易データと画像データのダウンロードが要求された旨とが受け付け部１０６から通信部１０５へ出力される。
すると、通信部１０５によって、出力されてきた簡易データと対応付けられているデータ識別情報が記憶部１０１から読み出される（ステップＳ５３）。そして、読み出されたデータ識別情報と画像データのダウンロードを要求するダウンロード要求信号とが通信部１０５からネットワーク３００を介してサーバ２００へ送信される（ステップＳ５４）。
通信端末１００から送信されたデータ識別情報およびダウンロード要求信号が通信部２０３にて受信されると、受信されたデータ識別情報と対応付けられている画像データがデータベース管理部２０２によってデータベース２０１から読み出される（ステップＳ５５）。
そして、読み出された画像データが通信部２０３からネットワーク３００を介して通信端末１００へ送信される（ステップＳ５６）。
このように、第２の実施形態の通信システムは、第１の実施形態同様に、サーバに保存された画像データを、当該画像データをサーバから通信端末にダウンロードすることなしに、通信端末から削除することができる。なぜならば、通信端末が簡易データを表示し、この簡易データが指定されることにより画像データの削除を受け付けた場合、指定された簡易データに対応する画像データの削除を通信端末がサーバへ要求するからである。
また、一般的に、データ識別情報のデータ量は簡易データのデータ量よりも少ない。このため、第２の実施形態の通信システムは、第１の実施形態に比べ、通信端末とサーバの間のデータ通信量を削減する。なぜならば、画像データに対応する簡易データを送信する代わりに、画像データに対応するデータ識別情報を、通信端末がサーバに送信するからである。
また、第２の実施形態の通信システムは、第１の実施形態に比べ、データベースの使用量を削減する。なぜならば、画像データに対応する簡易データを保存する代わりに、画像データに対応するデータ識別情報を、サーバがデータベースに保存するからである。
（第３の実施の形態）
図１６は、図１に示した通信端末１００の内部構成の第３の構成例を示す図である。
第３の実施の形態においては、図１に示した通信端末１００には図１６に示すように、記憶部１０１と、表示部１０３と、通信部１０５と、受け付け部１０６とが設けられている。図１６に示した構成は、図２に示した構成要素から、簡易データ生成部１０２が削除された構成となっている。なお、図１６には、図１に示した通信端末１００を構成する構成要素のうち、本実施の形態の説明に係わる要素のみを示した。
記憶部１０１は、通信部１０５から出力されてきた簡易データを記憶する。記憶部１０１には、図３に示したように簡易データが記憶される。
表示部１０３は、図２に示したものと同じものである。
受け付け部１０６は、図２に示したものと同じものである。
通信部１０５は、通信端末１００が取得した画像データをネットワーク３００を介してサーバ２００へ送信する。また、通信部１０５は、ネットワーク３００を介してサーバ２００から送信されてきた簡易データを記憶部１０１へ出力する。また、通信部１０５は、受け付け部１０６から簡易データと画像データの削除が要求された旨とが出力されてきた場合、出力されてきた簡易データと画像データの削除を要求する削除要求信号とをネットワーク３００を介してサーバ２００へ送信する。また、通信部１０５は、受け付け部１０６から簡易データと画像データのダウンロードが要求された旨とが出力されてきた場合、出力されてきた簡易データと画像データのダウンロードを要求するダウンロード要求信号とをネットワーク３００を介してサーバ２００へ送信する。送信先の指定については、第１の実施の形態と同じである。
図１７は、図１に示したサーバ２００の内部構成の第３の構成例を示す図である。
第３の実施の形態においては、図１に示したサーバ２００には図１７に示すように、データベース２０１と、データベース管理部２０２と、通信部２０３と、簡易データ生成部２０４とが設けられている。なお、図１７には、図１に示したサーバ２００を構成する構成要素のうち、本実施の形態の説明に係わる要素のみを示した。
通信部２０３は、図４に示したものと同じものである。
簡易データ生成部２０４は、データベース管理部２０２から出力された画像データに基づいて簡易データを生成する。簡易データの生成方法については、第１の実施の形態の簡易データ生成部１０２におけるものと同じである。また、簡易データ生成部２０４は、生成した簡易データをデータベース管理部２０２へ出力する。
データベース管理部２０２は、通信端末１００から送信されてきた画像データを簡易データ生成部２０４へ出力する。また、データベース管理部２０２は、通信端末１００から送信されてきた画像データと簡易データ生成部２０４にて生成された簡易データとを対応付けてデータベース２０１に保存させる。また、データベース管理部２０２は、簡易データ生成部２０４にて生成された簡易データを通信部２０３を介して通信端末１００へ送信する。また、データベース管理部２０２は、通信端末１００から削除要求信号と簡易データとが送信されてきた場合、当該簡易データに対応する画像データをデータベース２０１から削除する。また、データベース管理部２０２は、通信端末１００からダウンロード要求信号と簡易データとが送信されてきた場合、当該簡易データと対応付けてデータベース２０１に保存されている画像データをデータベース２０１から読み出す。そして、データベース管理部２０２は、読み出された画像データを通信部２０３を介して通信端末１００へ送信する。
データベース２０１は、通信端末１００から送信されてきた画像データと簡易データ生成部２０４にて生成された簡易データとを対応付けて保存する。データベース２０１には、図５に示したように画像データと簡易データとが対応付けて保存される。
以下に、第３の実施の形態におけるデータ保存方法について説明する。まずは、第３の実施の形態におけるデータ保存方法のうち、通信端末１００がサーバ２００に画像データを保存させる処理について説明する。
図１８は、第３の実施の形態におけるデータ保存方法のうち、通信端末１００がサーバ２００に画像データを保存させる処理を説明するためのシーケンス図である。
まず、通信端末１００にて画像データが取得される（ステップＳ６１）。この取得方法については、上述したようにどのような方法を用いても良く、ここでは特に規定しない。
すると、取得された画像データが通信部１０５からネットワーク３００を介してサーバ２００へ送信される（ステップＳ６２）。
なお、この送信タイミングは、通信端末１００にて画像データが取得された後であれば良く、通信端末１００を利用する利用者からの送信の指示を受け付けたタイミングや、一日のうちあらかじめ設定された時刻等の任意のタイミングで良い。また、取得した画像データのデータ量があらかじめ設定された、または通信端末１００に記憶できるデータ量を超えたタイミングであっても良い。また、取得した画像データのファイル形式があらかじめ設定されたファイル形式かどうかを判断し、取得した画像データのファイル形式があらかじめ設定されたファイル形式であると判断された場合、その判断されたタイミングであっても良い。
通信端末１００から送信された画像データがサーバ２００の通信部２０３にて受信されると、簡易データ生成部２０４にて当該画像データに対応する簡易データが生成される（ステップＳ６３）。そして、受信された画像データと簡易データ生成部２０４にて生成された簡易データとがデータベース管理部２０２によって対応付けられてデータベース２０１に保存される（ステップＳ６４）。
また、簡易データ生成部２０４にて生成された簡易データが、通信部２０３からネットワーク３００を介して通信端末１００へ送信される（ステップＳ６５）。
サーバ２００から送信された簡易データが通信部１０５にて受信されると、受信された簡易データが記憶部１０１に記憶される（ステップＳ６６）。
なお、簡易データが記憶部１０１に記憶された後、サーバ２００が保存している画像データを通信端末１００が削除する処理、およびサーバ２００が保存している画像データを通信端末１００がダウンロードする処理については、第１の実施の形態と同じである。
このように、第３の実施形態の通信システムは、第１および第２の実施形態同様に、サーバに保存された画像データを、当該画像データをサーバから通信端末にダウンロードすることなしに、通信端末から削除することができる。なぜならば、通信端末が簡易データを表示し、この簡易データが指定されることにより画像データの削除を受け付けた場合、指定された簡易データに対応する画像データの削除を通信端末がサーバへ要求するからである。
また、第３の実施形態の通信端末は、簡易データ生成部を備えていない。すなわち、第３の実施形態の通信システムは、第１および第２の実施形態に比べ、通信端末の構造の簡易化を可能にする。このことにより、通信端末の製造コストの削減、通信端末の小型化や軽量化、製造コストの削減などが可能になる。
（第４の実施の形態）
図１９は、図１に示した通信端末１００の内部構成の第４の構成例を示す図である。
第４の実施の形態においては、図１に示した通信端末１００には図１９に示すように、記憶部１０１と、表示部１０３と、通信部１０５と、受け付け部１０６とが設けられている。なお、図１９には、図１に示した通信端末１００を構成する構成要素のうち、本実施の形態の説明に係わる要素のみを示した。
記憶部１０１は、通信部１０５から出力されてきた簡易データおよびデータ識別情報を記憶する。記憶部１０１には、図１０に示したように簡易データとデータ識別情報とが対応付けられて記憶される。
表示部１０３は、図２に示したものと同じものである。
受け付け部１０６は、図２に示したものと同じものである。
通信部１０５は、通信端末１００が取得した画像データをネットワーク３００を介してサーバ２００へ送信する。また、通信部１０５は、ネットワーク３００を介してサーバ２００から送信されてきた簡易データとデータ識別情報とを記憶部１０１へ出力する。また、通信部１０５は、受け付け部１０６から簡易データと画像データの削除が要求された旨とが出力されてきた場合、出力されてきた簡易データと対応付けられているデータ識別情報を記憶部１０１から読み出す。そして、通信部１０５は、読み出したデータ識別情報と画像データの削除を要求する削除要求信号とをネットワーク３００を介してサーバ２００へ送信する。また、通信部１０５は、受け付け部１０６から簡易データと画像データのダウンロードが要求された旨とが出力されてきた場合、出力されてきた簡易データと対応付けられているデータ識別情報を記憶部１０１から読み出す。そして、通信部１０５は、読み出したデータ識別情報と画像データのダウンロードを要求するダウンロード要求信号とをネットワーク３００を介してサーバ２００へ送信する。送信先の指定については、第１の実施の形態と同じである。
図２０は、図１に示したサーバ２００の内部構成の第４の構成例を示す図である。
第４の実施の形態においては、図１に示したサーバ２００には図２０に示すように、データベース２０１と、データベース管理部２０２と、通信部２０３と、簡易データ生成部２０４と、識別情報付与部２０５とが設けられている。なお、図２０には、図１に示したサーバ２００を構成する構成要素のうち、本実施の形態の説明に係わる要素のみを示した。
通信部２０３は、図４に示したものと同じものである。
簡易データ生成部２０４は、図１７に示したものと同じものである。
識別情報付与部２０５は、通信端末１００から送信されてきた画像データを識別するために、当該画像データ固有のデータ識別情報をその画像データに付与する。また、識別情報付与部２０５は、データ識別情報を付与した画像データをデータベース管理部２０２へ出力する。
データベース管理部２０２は、通信端末１００から送信されてきた画像データを簡易データ生成部２０４と識別情報付与部２０５とへ出力する。また、データベース管理部２０２は、識別情報付与部２０５から出力されてきた画像データとデータ識別情報とを対応付けてデータベース２０１に保存させる。また、データベース管理部２０２は、簡易データ生成部２０４にて生成された簡易データと、識別情報付与部２０５にて画像データに付与されたデータ識別情報とを通信部２０３を介して通信端末１００へ送信する。また、データベース管理部２０２は、通信端末１００から削除要求信号とデータ識別情報とが送信されてきた場合、当該データ識別情報に対応する画像データをデータベース２０１から削除する。また、データベース管理部２０２は、通信端末１００からダウンロード要求信号とデータ識別情報とが送信されてきた場合、当該データ識別情報と対応付けてデータベース２０１に保存されている画像データをデータベース２０１から読み出す。そして、データベース管理部２０２は、読み出された画像データを通信部２０３を介して通信端末１００へ送信する。
データベース２０１は、画像データとデータ識別情報とを対応付けて保存する。データベース２０１には、図１２に示したように画像データとデータ識別情報とが対応付けて保存される。
以下に、第４の実施の形態におけるデータ保存方法について説明する。まずは、第４の実施の形態におけるデータ保存方法のうち、通信端末１００がサーバ２００に画像データを保存させる処理について説明する。
図２１は、第４の実施の形態におけるデータ保存方法のうち、通信端末１００がサーバ２００に画像データを保存させる処理を説明するためのシーケンス図である。
まず、通信端末１００にて画像データが取得される（ステップＳ７１）。この取得方法については、上述したようにどのような方法を用いても良く、ここでは特に規定しない。
すると、取得された画像データが通信部１０５からネットワーク３００を介してサーバ２００へ送信される（ステップＳ７２）。
なお、この送信タイミングは、第３の実施の形態におけるものと同じで良い。
通信端末１００から送信された画像データがサーバ２００の通信部２０３にて受信されると、簡易データ生成部２０４にて当該画像データに対応する簡易データが生成される（ステップＳ７３）。また、識別情報付与部２０５にて、当該画像データにデータ識別情報が付与される（ステップＳ７４）。
そして、画像データとデータ識別情報とがデータベース管理部２０２によって対応付けられてデータベース２０１に保存される（ステップＳ７５）。
また、簡易データ生成部２０４にて生成された簡易データと識別情報付与部２０５にて画像データに付与されたデータ識別情報とが、通信部２０３からネットワーク３００を介して通信端末１００へ送信される（ステップＳ７６）。
サーバ２００から送信された簡易データとデータ識別情報とが通信部１０５にて受信されると、受信された簡易データとデータ識別情報とが対応付けられて記憶部１０１に記憶される（ステップＳ７７）。
なお、簡易データおよびデータ識別情報が記憶部１０１に記憶された後、サーバ２００が保存している画像データを通信端末１００が削除する処理、およびサーバ２００が保存している画像データを通信端末１００がダウンロードする処理については、第２の実施の形態と同じである。
このように、第４の実施形態の通信システムは、第１，第２および第３の実施形態同様に、第２サーバに保存された画像データを、当該画像データをサーバから通信端末にダウンロードすることなしに、通信端末から削除することができる。なぜならば、通信端末が簡易データを表示し、この簡易データが指定されることにより画像データの削除を受け付けた場合、指定された簡易データに対応する画像データの削除を通信端末がサーバへ要求するからである。
また、第４の実施形態の通信システムは、第２の実施形態同様に、第１の実施形態に比べ、通信端末とサーバの間のデータ通信量を削減する。なぜならば、画像データに対応する簡易データを送信する代わりに、画像データに対応するデータ識別情報を、通信端末がサーバに送信するからである。
また、第４の実施形態の通信システムは、第２の実施形態同様に、第１の実施形態に比べ、データベースの使用量を削減する。なぜならば、画像データに対応する簡易データを保存する代わりに、画像データに対応するデータ識別情報を、サーバがデータベースに保存するからである。
また、第４の実施形態の通信端末は、第３の実施形態同様に、簡易データ生成部を備えていない。すなわち、第４の実施形態の通信システムは、第１および第２の実施形態に比べ、通信端末の構造の簡易化を可能にする。このことにより、通信端末の製造コストの削減、通信端末の小型化や軽量化、製造コストの削減などが可能になる。
第１および第３の実施の形態において、通信端末１００がサーバ２００へ画像データの削除を要求した後、通信端末１００は削除を要求した画像データに対応する簡易データを記憶部１０１から削除してもよい。
また、第２および第４の実施の形態において、通信端末１００がサーバ２００へ画像データの削除を要求した後、通信端末１００は削除を要求した画像データに対応する簡易データとデータ識別情報とを記憶部１０１から削除してもよい。
以下に、第１〜４の実施の形態において、表示部１０３が簡易データを表示する処理について説明する。
図２２は、簡易データが表示された表示部１０３の表示画面の一例を示す図である。
図２２に示すように、表示部１０３には簡易データが一覧となって表示される。また、表示部１０３には、「削除」と「ダウンロード」とのどちらかを選択するためのキー（ボタン）が表示される。利用者が、削除したい画像データの簡易データを選択し、「削除」を選択することにより、受け付け部１０６は、選択された簡易データに応じた画像の削除の要求を受け付ける。また、利用者が、ダウンロードしたい画像データの簡易データを選択し、「ダウンロード」を選択することにより、受け付け部１０６は、選択された簡易データに応じた画像のダウンロードの要求を受け付ける。
なお、簡易データ、画像データ、データ識別情報を管理するための管理ファイルを設けても良い。
また、上述した第１〜４の実施の形態において、サーバ２００に保存されている画像データを通信端末１００以外の通信端末からダウンロードすることも可能である。
図２３は、複数の通信端末がサーバと接続された形態を示す図である。
図２３に示すように、通信端末１００以外の通信端末４００がネットワーク３００を介してサーバ２００と接続されている。画像データをサーバ２００に保存させた通信端末１００でなくても、サーバ２００に保存されている画像データにアクセスすることができる。
図２４は、図２３に示した通信端末４００によってサーバ２００に保存されている画像データのダウンロードが行われた場合の処理を説明するためのシーケンス図である。
まず、通信端末４００からサーバ２００へアクセスが行われると（ステップＳ８１）、サーバ２００に保存されている画像データの簡易データがサーバ２００から通信端末４００へ送信される（ステップＳ８２）。ここでの「アクセス」とは、通信端末４００からサーバ２００への接続要求やサーバ２００が有するソフトウェアの利用要求であっても良く、サーバ２００に保存されている画像データのダウンロードが要求できるものであれば良い。接続するためにパスワード等を用いた認証を行うものであってもかまわない。
サーバ２００から送信された簡易データが通信端末４００にて受信されると、受信された簡易データが通信端末４００に表示される（ステップＳ８３）。
その後、通信端末４００を利用する利用者によって、ダウンロードしたい画像データに応じた簡易データが選択されることによりダウンロードが要求されると、当該画像データのダウンロードが通信端末４００からサーバ２００へ要求される（ステップＳ８４）。
すると、サーバ２００にて要求された画像データがデータベース２０１から読み出され（ステップＳ８５）、読み出された画像データがサーバ２００からネットワーク３００を介して通信端末４００へ送信される（ステップＳ８６）。
（第５の実施の形態）
図２５は、本発明の通信システムの実施の他の一形態を示す図である。
本発明の第５の実施の形態における通信システムは、図２５に示すように、通信端末１００と、サーバ２００とが接続された構成となっている。通信端末１００とサーバ２００は、例えばネットワークを介して接続されていてもよい。サーバ２００は、データベース２０１を備えている。
通信端末１００は、取得した画像データをサーバ２００に送信する。サーバ２００は、通信端末１００から送信されてきた画像データをデータベース２０１に保存する。
また、通信端末１００は、該画像データの簡易データを表示する。簡易データは、該画像データに基づいて、該画像データのデータ量よりもデータ量が少なくなるように生成される。通信端末１００を利用する利用者は、簡易データを見ることにより、対応する画像データの内容を認識することができる。
利用者が表示されている簡易データを外部から指定したことにより、該簡易データに対応する画像データの削除を受け付けた場合、端末１００は、該簡易データに対応する画像データの削除をサーバ２００へ要求する。サーバ２００は、通信端末１００から画像データの削除を要求された場合、該画像データをデータベースから削除する。
このように、第５の実施形態の通信システムは、サーバに保存された画像データを、当該画像データをサーバから通信端末にダウンロードすることなしに、通信端末から削除することができる。なぜならば、通信端末が簡易データを表示し、この簡易データが指定されることにより画像データの削除を受け付けた場合、指定された簡易データに対応する画像データの削除を通信端末がサーバへ要求するからである。
（第６の実施の形態）
本発明の第６の実施の形態の通信システムは、
取得した画像データを送信する通信端末と、該通信端末から送信されてきた画像データを保存するサーバとから構成された通信システムにおいて、
通信端末は、取得した画像データをサーバへ送信し、該画像データを認識することができる該画像データのデータ量よりもデータ量が少ない簡易データを表示し、外部から画像データの削除を表示された簡易データを指定することにより受け付けた場合、該簡易データに対応する画像データの削除をサーバへ要求し、
サーバは、通信端末から送信されてきた画像データを当該サーバに設けられたデータベースに保存し、通信端末から画像データの削除を要求された場合、該画像データをデータベースから削除することを特徴とする。
（第７の実施の形態）
本発明の第７の実施の形態の通信端末は、
画像データを保存するサーバと接続可能に構成された通信端末であって、
当該通信端末が取得した画像データに基づいて、該画像データを認識可能に表示される、該画像データのデータ量よりもデータ量が少ない簡易データを生成する簡易データ生成部と、
簡易データを記憶する記憶部と、
取得した画像データをサーバへ送信する通信部と、
簡易データを表示する表示部と、
外部から画像データの削除を表示部に表示された簡易データを指定することにより受け付ける受け付け部とを有し、
通信部は、受け付け部が外部から画像データの削除を表示部に表示された簡易データを指定することにより受け付けた場合、画像データの削除を要求する旨を示す削除要求信号と指定された簡易データとをサーバへ送信する。
（第８の実施の形態）
本発明の第８の実施の形態のサーバは、
通信端末から送信されてきた画像データを保存するサーバであって、
通信端末から送信されてきた画像データに基づいて、該画像データを認識可能に表示される、該画像データのデータ量よりもデータ量が少ない簡易データを生成する簡易データ生成部と、
画像データに該画像データを識別するための固有のデータ識別情報を付与する識別情報付与部と、
画像データとデータ識別情報とを対応付けて当該サーバが有するデータベースに保存するデータベース管理部と、
簡易データとデータ識別情報とを通信端末へ送信する通信部とを有し、
データベース管理部は、通信端末から画像データの削除を要求する旨を示す削除要求信号と画像データに付与されたデータ識別情報とが送信されてきた場合、該データ識別情報と対応付けて保存されている画像データをデータベースから削除する。
（第９の実施の形態）
本発明の第９の実施の形態のサーバは、
通信端末から送信されてきた画像データを保存するサーバであって、
通信端末から送信されてきた画像データに基づいて、該画像データを認識可能に表示される、該画像データのデータ量よりもデータ量が少ない簡易データを生成する簡易データ生成部と、
画像データに該画像データを識別するための固有のデータ識別情報を付与する識別情報付与部と、
画像データとデータ識別情報とを対応付けて当該サーバが有するデータベースに保存するデータベース管理部と、
簡易データとデータ識別情報とを通信端末へ送信する通信部とを有し、
データベース管理部は、通信端末から画像データの削除を要求する旨を示す削除要求信号と画像データに付与されたデータ識別情報とが送信されてきた場合、該データ識別情報と対応付けて保存されている画像データをデータベースから削除する。
（第１０の実施の形態）
本発明の第１０の実施の形態のデータ保存方法は、
取得した画像データを送信する通信端末と、該通信端末から送信されてきた画像データを保存するサーバとから構成された通信システムにおけるデータ保存方法であって、
通信端末が、取得した画像データをサーバへ送信する処理と、
サーバが、通信端末から送信されてきた画像データを当該サーバに設けられたデータベースに保存する処理と、
通信端末が、取得した画像データを認識することができる該画像データのデータ量よりもデータ量が少ない簡易データを表示する処理と、
通信端末が、外部から画像データの削除を表示された簡易データを指定することにより受け付けた場合、該簡易データに対応する画像データの削除をサーバへ要求する処理と、
サーバが、通信端末から画像データの削除を要求された場合、該画像データをデータベースから削除する処理とを有する。
（第１１の実施の形態）
本発明の第１１の実施の形態のプログラムは、
画像データを保存するサーバと接続可能に構成された通信端末に実行させるためのプログラムであって、
当該通信端末が取得した画像データに基づいて、該画像データを認識可能に表示される、該画像データのデータ量よりもデータ量が少ない簡易データを生成する手順と、
簡易データを当該通信端末に設けられた記憶部に記憶する手順と、
取得した画像データをサーバへ送信する手順と、
簡易データを表示する手順と、
外部から画像データの削除を表示された簡易データを指定することにより受け付ける手順と、
外部から画像データの削除を表示された簡易データを指定することにより受け付けた場合、画像データの削除を要求する旨を示す削除要求信号と指定された簡易データとをサーバへ手順とを実行させる。
（第１２の実施の形態）
本発明の第１２の実施の形態のプログラムは、
通信端末から送信されてきた画像データを保存するサーバに実行させるためのプログラムであって、
通信端末から送信されてきた画像データに基づいて、該画像データを認識可能に表示される、該画像データのデータ量よりもデータ量が少ない簡易データを生成する手順と、
画像データと簡易データとを対応付けて当該サーバが有するデータベースに保存する手順と、
簡易データを通信端末へ送信する手順と、
通信端末から画像データの削除を要求する旨を示す削除要求信号と画像データに対応する簡易データとが送信されてきた場合、該簡易データと対応付けて保存されている画像データをデータベースから削除する手順とを実行させる。
なお、上述した通信端末１００とサーバ２００との処理はそれぞれ、目的に応じて作製された論理回路で行うようにしても良い。また、それぞれの処理内容を記述したプログラムを通信端末１００とサーバ２００とのそれぞれにて読取可能な記録媒体に記録し、この記録媒体に記録されたプログラムを通信端末１００とサーバ２００とのそれぞれに読み込ませ、実行するものであっても良い。通信端末１００とサーバ２００とのそれぞれにて読取可能な記録媒体とは、フロッピーディスク（登録商標）、光磁気ディスク、ＤＶＤ、ＣＤなどの移設可能な記録媒体の他、通信端末１００とサーバ２００とのそれぞれに内蔵されたＨＤＤ等を指す。この記録媒体に記録されたプログラムは、通信端末１００とサーバ２００とのそれぞれが有するＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
以上、実施形態を参照して本願発明を説明したが、本願発明は上記実施形態に限定されるものではない。本願発明の構成や詳細には、本願発明のスコープ内で当業者が理解し得る様々な変更をすることができる。
この出願は、２００９年３月３０日に出願された日本特許出願特願２００９−０８２２１３を基礎とする優先権を主張し、その開示の全てを盛り込む。
【符号の説明】
【０００８】
１００，４００  通信端末
１０１  記憶部
１０２，２０４  簡易データ生成部
１０３  表示部
１０４，２０５  識別情報付与部
１０５，２０３  通信部
１０６  受け付け部
２００  サーバ
２０１  データベース
２０２  データベース管理部
３００  ネットワーク
【図１】
2010113670.tif 000003
【図２】
2010113670.tif 000004
【図３】
2010113670.tif 000005
【図４】
2010113670.tif 000006
【図５】
2010113670.tif 000007
【図６】
2010113670.tif 000008
【図７】
2010113670.tif 000009
【図８】
2010113670.tif 000010
【図９】
2010113670.tif 000011
【図１０】
2010113670.tif 000012
【図１１】
2010113670.tif 000013
【図１２】
2010113670.tif 000014
【図１３】
2010113670.tif 000015
【図１４】
2010113670.tif 000016
【図１５】
2010113670.tif 000017
【図１６】
2010113670.tif 000018
【図１７】
2010113670.tif 000019
【図１８】
2010113670.tif 000020
【図１９】
2010113670.tif 000021
【図２０】
2010113670.tif 000022
【図２１】
2010113670.tif 000023
【図２２】
2010113670.tif 000024
【図２３】
2010113670.tif 000025
【図２４】
2010113670.tif 000026
【図２５】
2010113670.tif 000027
【国際調査報告】
2010113670.tif 000028
2010113670.tif 000029
2010113670.tif 000030